(57)【要約】      （修正有）【課題】排気装置の効率を向上させることを目的とする。【解決手段】二重構造のファンが装着された排気装置モジュールは中心部に貫通部１０７を備えた環状の円板上に複数個のフィン（ｆｉｎ）１０４が形成されたスワラーファン１００を前段に配置し、スワラーファンの後段に通常の遠心型または軸流の吸込ファン２００を配置し、スワラーファンの駆動によって形成される渦流が吸込口の周辺にドーナッツ型の低気圧帯を形成するようにし、吸込ファン駆動によってドーナッツ型の低気圧帯を回転させて旋風を形成することによってスワラーファンの下部の気体を速い流速で上昇させて吸い込み排出するようにした。前記排気装置モジュールを構成することにおいて、スワラーファンを囲み、下段部に水平段が形成された四角錐台型または円錐台型のベルマウス（ｂｅｌｌ−ｍｏｕｔｈ）５００を配置し、より広いドーナッツ型の低気圧帯を形成することを効果的に誘導した。【選択図】図３
2016109112.tif 000002
【特許請求の範囲】
【請求項１】
中心部に貫通部を備えた環状の円板上に複数個のフィン（ｆｉｎ）が形成されたスワラーファンと、
前記スワラーファンの後段に配置される吸込ファンと、
前記スワラーファンと吸込ファンを同時に駆動するようにするため、二つのファンに同軸に連結されるように連結部材によって組み立てられるモータと、を含む排気装置モジュール。
【請求項２】
前記吸込ファンを内蔵し、底面に開口部が形成され、一側に排出口が組み立てられる吸込ファンケースと、をさらに含む請求項１に記載の排気装置モジュール。
【請求項３】
前記スワラーファンを囲み、上段部に開口部が形成され、下段部に水平段が形成された角錐台型、楕円錐台型または円錐台型のベルマウス（ｂｅｌｌ−ｍｏｕｔｈ）と、をさらに含む請求項１に記載の排気装置モジュール。
【請求項４】
前記スワラーファンは、前記モータのモータ軸と結合する中心部と、前記中心部の外側を囲むように配置される円型帯部材と、前記中心部の外周面から前記円型帯部材の内周面まで放射状に延長して形成される複数個の連結ロードと、前記円型帯部材の外側周囲を囲むように結合され、一面に複数個のフィンが突出形成される回転板を含むことを特徴とする請求項１に記載の排気装置モジュール。
【請求項５】
前記スワラーファンは、前記モータのモータ軸と結合する中心部と、前記中心部に結合される回転板と、前記回転板の外側を囲むように配置され、外周面に沿って複数個のフィンが突出形成される円型帯部材と、前記回転板の外周面から前記円型帯部材の内周面まで放射状に延長して形成される複数個の連結ロードを含んでなることを特徴とする請求項１に記載の排気装置モジュール。
【請求項６】
前記スワラーファンは、前記連結ロードの一側に吸込流速を増大させる補助羽根を備えることを特徴とする請求項４または請求項５に記載の排気装置モジュール。
【請求項７】
前記吸込ファンと前記モータを内蔵し、上段部に排出口が組み立てられる吸込ファンケースをさらに含み、前記吸込ファンは軸流型プロペラファンで構成され、前記排出口は前記軸流型プロペラファンの回転軸と同心に組み立てられる請求項１に記載の排気装置モジュール。
【請求項８】
中心部に貫通部を備えた環状の円板上に複数個のフィン（ｆｉｎ）が形成されたスワラーファンと、
前記スワラーファンを駆動するためのハウジングに連結部材によって組み立てられるモータと、
前記スワラーファンの後段に配置される吸込ファンと、
前記吸込ファンを駆動するためのハウジングに連結部材によって組み立てられるモータと、を含む排気装置モジュール。
【発明の詳細な説明】
【技術分野】
【０００１】
本発明は、排気装置モジュールに関し、より詳細には環状の円板上に複数個のフィン（ｆｉｎ）が形成されたスワラーファンを適用し、効率を向上させた排気装置モジュールに関する。
【背景技術】
【０００２】
すべての気体は気圧が高いところから気圧が低いところに移動する。このような原理を利用して作られたのが機械的なファンである。羽根を回転させると、空気を押し出して羽根の周辺の空気密度が低くなり、気圧が低くなる。そうすると、相対的に気圧が高くなった周辺の空気が羽根側に移動する。この際、羽根のよじれの方向によって空気を吸込したり送出したりする。
【０００３】
一定空間の汚染物質を除去するために排気ファンが使用される。排気ファンは、送風機形態で作られて住宅、商家、工場など多様な空間にある汚染物質を除去するために使用され、また、レンジフード形態で作られ、厨房で料理する際に生じる各種汚染物質を除去する場合にも使用される。また局所作業現場で発生する奮進、オイルミスト、溶接ヒュームなどを除去するために移動式排気装置形態で作られて使用される。
【０００４】
通常、排気ファンは空間の上部の壁面や天井配管にして外部に排気口を設け、配管の前段部または配管の後段部である排気口の近くに排気ファンを設置して構成される。この際、設置される排気ファンは多くの場合遠心型ファン（ｓｉｒｏｃｃｏ  ｆａｎまたはｔｕｒｂｏ  ｆａｎ）であり、稀に軸流型プロペラファンが設置される場合もある。大韓民国登録特許第１０−０８４５５７７号、登録特許第１０−０６８４６９６号、登録特許第１０−０５８９６０７号はいずれもこのような排気ファンを備えている。
【０００５】
排気ファンは、ファンを駆動させて作り出す負圧によって空気流動を発生させて空気を排気口に排出させると、空間内の汚染物質も空気に載って共に排出されることを前提とする。しかし、重さと体積を有する汚染物質が空気に載って排出されるためには汚染源がある位置でそれが有する重力と慣性よりさらに大きい空気流動速度（流速）を有しなければならない。これを捕執速度（ｃａｐｔｕｒｅ  ｖｅｌｏｃｉｔｙ）と言う。知らされたところによれば、２０μｍ以下の微細ホコリの場合も最小捕執速度は０．２５ｍ／ｓｅｃである。したがって、排気ファンが作り出した空気流動速度（流速）が低いと、汚染物質は空気に載って排出されず、その場に留まり、軽い空気だけが排出される。
【０００６】
このような理由から既存の排気ファンの汚染源の捕執範囲は図１のシミュレーション図のように吸込口の隣接部にすぎないという短所がある。すなわち、すべての排気ファンは排気口の入口から、距離の２乗に反比例して吸込流速が急減し、一定の距離以上離れたところにある汚染源を運ぶことができない。
【０００７】
これは図２（ｖｅｌｏｃｉｔｙ  Ｃｏｎｔｏｕｒｓ  −  ｐｌａｉｎ  ｃｉｒｃｕｌａｒ  ｏｐｅｎｉｎｇ  −  ％  ｏｆ  ｏｐｅｎｉｎｇ  ｖｅｌｏｃｉｔｙ；  Ａｍｅｒｉｃａｎ  Ｃｏｎｆｅｒｅｎｃｅ  ｏｆ  Ｇｏｖｅｒｎｍｅｎｔａｌ  Ｉｎｄｕｓｔｒｉａｌ  Ｈｙｇｉｅｎｉｓｔｓ（ＡＣＧＩＨ）    Ｉｎｄｕｓｔｒｉａｌ  Ｖｅｎｔｉｌａｔｉｏｎ  Ｍａｎｕａｌ、２３ｒｄ  Ｅｄｉｔｉｏｎ）に示すように、通常の排気ファンの回転は空気流動を作るが、排気口の入口の直径ほど下降した部位に至ると、気流の流速が排気口の入口流速の７．４％に過ぎるほどに減少するからである。
【０００８】
排気口の入口から、距離の２乗に反比例して流速が減少するのはＤａｌｌｅ  Ｖａｌｌｅ方程式としても広く知られている。
【０００９】
Ｄａｌｌａ  Ｖａｌｌｅ方程式は、
【００１０】
【数１】
2016109112.tif 000003
【００１１】
である。
【００１２】
ここで、Ｖｘはｘ地点での流速、Ｖｆは排気口の入口流速、ｘは排気口からの距離、ｄは排気口の直径（ｄｉａｍｅｔｅｒ）を示す。
【００１３】
したがって、排気口直径（ｄ）の１倍、すなわち  ｘ＝ｄの地点での流速は、
【００１４】
【数２】
2016109112.tif 000004
【００１５】
すなわち、排気口の入口流速（Ｖｆ）の７．４％となる。
【００１６】
このようなメカニズムにもかかわらず、多くの排気ファンの構成で排気口の位置は汚染物の発生源から排気口入口の直径よりさらに遠く離れた地点にあるため、排出力が非常に低い。
【００１７】
したがって、既存のすべての排気装置は排気風量を増やして流速を増加させ、排出力の増加を試みている。
【００１８】
しかし、Ｆａｎ  Ａｆｆｉｎｉｔｙ  Ｌａｗによれば、流速を２倍に増加させるためにはファンの消費電力を２３、すなわち８倍に上げなければならないため（流動速度３乗の法則）、消費電力が過度に大きくなり、それによる騒音が増加する問題がある。
【００１９】
Ｆａｎ  Ａｆｆｉｎｉｔｙ  Ｌａｗによる遠心型ファンの消費電力は、
Ｐ１／Ｐ２  ＝  （ｎ１／ｎ２）３  （ｄ１／ｄ２）５、  ｑ１／ｑ２  ＝  （ｎ１／ｎ２）（ｄ１／ｄ２）３
このとき、
Ｐ  ＝  ｐｏｗｅｒ  （Ｗ、ｂｈｐ、．．）
ｑ  ＝  ｖｏｌｕｍｅ  ｆｌｏｗ  ｃａｐａｃｉｔｙ  （ｍ３／ｓ、ｇｐｍ、ｃｆｍ、．．）
ｎ  ＝  ｗｈｅｅｌ  ｖｅｌｏｃｉｔｙ  −  ｒｅｖｏｌｕｔｉｏｎ  ｐｅｒ  ｍｉｎｕｔｅ  −  （ｒｐｍ）
ｄ  ＝  ｗｈｅｅｌ  ｄｉａｍｅｔｅｒ
【先行技術文献】
【特許文献】
【００２０】
【特許文献１】韓国登録特許１０−０８４５５７７号広報  （２００８年７月４日登録）
【特許文献２】韓国登録特許１０−０６８４６９６号広報  （２００７年２月１３日登録）
【特許文献３】韓国登録特許１０−０５８９６０７号広報  （２００６年６月７日登録）
【発明の概要】
【発明が解決しようとする課題】
【００２１】
したがって、本発明の目的は、排気力を向上させ、かつ消費電力と騒音を両方とも低くすることができる新しい方式の排気装置モジュールを提供することにある。
【課題を解決するための手段】
【００２２】
前記目的による本発明は、排気装置モジュールを構成することにおいて、二重構造のファンを適用し、排気ファンモジュールは前段（１段）のスワラーファンと後段（２段）の吸込ファンを含み、中心部に貫通部を備えた環状の円板上に複数個のフィン（ｆｉｎ）が形成されたスワラーファンを前段（１段）に配置し、スワラーファンの後段（２段）に通常の遠心型ファンまたは軸流型ファンのような吸込ファンを配置し、スワラーファンが回転すると、ドーナッツ型の渦流が形成され、ドーナッツ型渦流の内部は気圧が低くなるため、下部の相対的に高気圧帯にある気体が速い流速で上昇し、同時に後段（２段）の吸込ファンの駆動によってスワラーファンの入口に上昇した気体を排気口に強力に吸い込み排出するようにした。
【００２３】
また、本発明は、前記排気装置モジュールを構成することにおいて、スワラーファンを囲み、下段部に水平段が形成された四角錐台型または円錐台型のベルマウス（ｂｅｌｌ−ｍｏｕｔｈ）を配置し、ドーナッツ型渦流の低気圧帯の形成領域を広げることにより排気対象物質の捕執領域を効果的に広げるようにした。
【００２４】
すなわち、本発明は、中心部に貫通部を備えた環状の円板上に複数個のフィン（ｆｉｎ）が形成されたスワラーファンと、前記スワラーファンの後段に配置される通常の遠心型または軸流型の吸込ファンと、前記スワラーファンと吸込ファンを同時に駆動するようにするため、二つのファンに同軸に連結されるように連結部材によって組み立てられるモータと、を含む排気装置モジュールを提供する。
【００２５】
また、本発明は、前記スワラーファンを囲み、上段部に開口部が形成され、下段部に水平段が形成された四角錐台型または円錐台型のベルマウス（ｂｅｌｌ−ｍｏｕｔｈ）をさらに含む排気装置モジュールを提供する。
【００２６】
また、本発明は前記吸込ファンを内蔵し、底面に開口部が形成され、一側に排出口が組み立てられる吸込ファンケースをさらに含む排気装置モジュールを提供する。
【００２７】
また、本発明は排気装置モジュールにおいて、スワラーファンの後段に設置される吸込ファンを軸流型プロペラファンで構成し、前記吸込ファンケースの排出口が吸込ファンが配置された地点と同一軸に位置するように組み立てられる排気装置モジュールを提供する。
【００２８】
また、本発明の実施形態によれば、前記スワラーファンは、前記モータのモータ軸と結合する中心部と、前記中心部の外側を囲むように配置される円型帯部材と、前記中心部の外周面から前記円型帯部材の内周面まで放射状に延長して形成される複数個の連結ロードと、前記円型帯部材の外側周囲を囲むように結合され、一面に複数個のフィンが突出形成される回転板を含み得る。
【００２９】
また、本発明は、前記スワラーファンの下方に配置される格子状ガードをさらに含む排気装置モジュールを提供する。
【００３０】
また、本発明の実施形態によれば、前記スワラーファンは、前記モータのモータ軸と結合する中心部と、前記中心部に結合される回転板と、前記回転板の外側を囲むように配置され、外周面に沿って複数個のフィンが突出形成される円型帯部材と、前記回転板の外周面から前記円型帯部材の内周面まで放射状に延長して形成される複数個の連結ロードを含み得る。
【００３１】
また、本発明の実施形態によれば、前記スワラーファンは前記連結ロードの一側に吸込流速を増大させる補助羽根を備えることができる。
【００３２】
また、本発明の実施形態によれば、前記吸込ファンと前記モータを内蔵し、上段部に排出口が組み立てられる吸込ファンケースをさらに含み、前記吸込ファンは軸流型プロペラファンで構成され、前記排出口は前記軸流型プロペラファンの回転軸と同心に組み立てられる。
【００３３】
また、本発明は、中心部に貫通部を備えた環状の円板上に複数個のフィン（ｆｉｎ）が形成されたスワラーファンと、前記スワラーファンを駆動するためにハウジングに連結部材によって組み立てられるモータと、前記スワラーファンと離隔して後段に配置される通常の遠心型または軸流型の吸込ファンと、前記遠心型または軸流型の吸込ファンを独立的に駆動するため、ハウジングに連結部材によって組み立てられる別途のモータと、を含む排気装置モジュールを提供する。
【発明の効果】
【００３４】
本発明によれば、気体を吸い込む排気装置モジュールが二重構造のファンであるため、非常に強力な旋風気流が形成され、強力な吸い込み及び排気力を有する排気ファンを提供することができる。すなわち、中心部に貫通部を備えた環状の円板上に複数個のフィン（ｆｉｎ）が形成されたスワラーファンが回転すると、ドーナッツ型の渦流が形成され、ドーナッツ型渦流の内部は気圧が低くなるため、下部の相対的に高気圧帯にある気体が速い流速で上昇し、同時に後段の吸込ファンの駆動によってスワラーファンの周辺に上昇した気体を強力に吸い込み排出する。
【００３５】
この際、スワラーファンの中央の貫通部に流入する空気の一部は回転板のフィン（ｆｉｎ）が空気を外側方向に押し出す力に巻きこまれて排気口に排出せされず、外側方向に再拡散され得る。環状回転板の内周面と連結ロードとの間に垂直に貫通して一定の高さを有し、円型帯形状に形成される円型帯部材は中央の貫通部に流入する空気が外側方向に再拡散されることを防ぎ、円滑に排気されるようにする役割を果たす。
【００３６】
このような本発明の排気装置モジュールの場合、従来の吸込ファンのみによる排気ファンに比べてはるかに広範囲な領域にわたって吸い込み排出力を発揮し、上昇気流の流速が速いため、迅速に汚染物質及びの臭いを消す。
【００３７】
また、本発明のベルマウス（ｂｅｌｌ−ｍｏｕｔｈ）は、スワラーファンの周辺部からさらに拡張した範囲にドーナッツ型渦流の低気圧帯を形成できるように誘導し、旋風気流の中心部を拡大及び維持させて上昇気流の発生領域を広げる。
【００３８】
本発明のような二重構造のファン及びベルマウス（ｂｅｌｌ−ｍｏｕｔｈ）を適用した排気装置モジュールは、人為的にファンの回転速度を高めて風量を増やし、吸込流速を増加させる従来の技術と異なり、ファンの同一の回転速度でも吸込流速を増加させて捕執深さが及び捕執範囲を広げ、比較的低消費電力及び低騒音でも汚染物質及びの臭いを強力かつ迅速に排出することができる。
【図面の簡単な説明】
【００３９】
【図１】従来の排気装置の気流と流速分布をシミュレーションした結果による捕執領域を示す図解図である。
【図２】通常の排気ファンの流速分布を示す図解図である。（ｖｅｌｏｃｉｔｙ  Ｃｏｎｔｏｕｒｓ  −  ｐｌａｉｎ  ｃｉｒｃｕｌａｒ  ｏｐｅｎｉｎｇ  −  ％  ｏｆ  ｏｐｅｎｉｎｇ  ｖｅｌｏｃｉｔｙ；  Ａｍｅｒｉｃａｎ  Ｃｏｎｆｅｒｅｎｃｅ  ｏｆ  Ｇｏｖｅｒｎｍｅｎｔａｌ  Ｉｎｄｕｓｔｒｉａｌ  Ｈｙｇｉｅｎｉｓｔｓ（ＡＣＧＩＨ）    Ｉｎｄｕｓｔｒｉａｌ  Ｖｅｎｔｉｌａｔｉｏｎ  Ｍａｎｕａｌ、２３ｒｄ  Ｅｄｉｔｉｏｎ）
【図３】本発明の排気装置モジュールの構成を説明するための分解斜視図である。
【図４】本発明の一実施形態において本発明の排気装置モジュールを利用して構成したレンジフードを示す分解斜視図である。
【図５】本発明の一実施形態においてスワラーファンを示す斜視図である。
【図６】本発明の一実施形態においてまた他のスワラーファンを示す斜視図である。
【図７】本発明の排気装置モジュールの組立図である。
【図８】本発明のまた他の実施形態による排気装置モジュールの分解斜視図である。
【図９】本発明のまた他の排気装置モジュールの分解斜視図である。
【図１０】本発明の排気装置モジュールによって形成される気流と圧力分布をシミュレーションした結果を示す図解図である。
【図１１】本発明の排気装置モジュールによって形成される気流と流速分布をシミュレーションした結果による捕執領域を示す図解図である。
【発明を実施するための形態】
【００４０】
以下、本発明の望ましい実施形態について添付する図面を参照して詳細に説明する。
【００４１】
図３は、本発明による排気装置モジュールの分解斜視図である。
【００４２】
本発明の一実施形態による排気装置モジュールは、スワラーファン１００、吸込ファン２００、モータ３００を含み、吸込ファンケース４００、ベルマウス（ｂｅｌｌ−ｍｏｕｔｈ）５００、排出口６００、及び組立部材７００をさらに含み得る。
【００４３】
中心部に貫通部１０７を備えた環状の円板上に複数個のフィン１０４が形成されたスワラーファン１００と、その後段（図面の上段）に配置される吸込ファン２００は同時に駆動するように一つのモータ３００によって連結部材に連結される。前記二つのファンは同軸を維持し、前記モータ３００と連結して組み立てられる。すなわち、モータ軸３３０を同軸としてスワラーファン１００と吸込ファン２００が同時に駆動される。
【００４４】
図４は、本発明による排気装置モジュールを適用して構成した厨房用レンジフードの一実施形態を示す分解斜視図である。通常、レンジフードは厨房天井に設置されるため、天井に固定すべき各種部材の支持体となり、美観を良くするフードボディー７１０が天井に取り付けられる。フードボディー７１０はその中心に開口部が形成され、フードボディー７１０の前段（図面の下段）にはベルマウス５００とスワラーファン１００が配置され、フードボディー７１０の後段（図面の上段）には吸込ファン２００が収容される吸込ファンケース４００及び排出口６００が配置される。
【００４５】
また、前記スワラーファン１００の下方に格子状ガード８００を設置するのが好ましい。
【００４６】
この際、底面に開口部４２０を有して内部に空間部が形成される六面体状の組立部材７００がフードボディー７１０の後段に結合される。この場合、吸込ファンケース４００は組立部材７００の内部空間部に収容され、モータ３００と排出口６００は吸込ファンケース４００と連通するように組立部材７００の後段に配置される。
【００４７】
前記スワラーファン１００の一実施形態は図５に示すように、回転板１０２と回転板１０２の内周面に沿って連結ロード１０６を複数個配置して固定し、回転板１０２上に複数個の一定角度のフィン１０４が直立形成され、前記環状回転板１０２の内周面と連結ロード１０６との間に垂直に貫通して一定の高さを有し、円型帯形状に形成される円型帯部材１０８からなる。
【００４８】
すなわち、図５に示すスワラーファン１００は、モータ３００のモータ軸３３０が結合される中心部１００ａと、中心部１００ａの外側を囲むように配置される円型帯部材１０８と、中心部１００ａの外周面から円型帯部材１０８の内周面まで放射状に延長して形成される複数個の連結ロード１０６と、円型帯部材１０８の外側周囲を囲むように結合され、一面に複数個のフィン１０４が突出形成される回転板１０２を含む。
【００４９】
この際、連結ロード１０６の一側に所定角度に傾斜した補助羽根１０１が形成される。この補助羽根１０１は、回転板１０２の回転時に貫通部１０７を通過する吸込流速を増大させる役割を果たす。
【００５０】
前記スワラーファン１００のまた他の実施形態は図６に示すように、モータ軸３３０と連結される中心部１００ａにおいて連結ロード１０６を複数個配置し、前記連結ロード１０６の周囲に沿って円型帯部材１０８が形成され、前記円型帯部材１０８の外側面に複数個のフィン１０４が半径方向に直立固定され得る。
【００５１】
すなわち、図６に示すスワラーファン１００は、モータ３００のモータ軸３３０と結合する中心部１００ａと、中心部１００ａに結合される回転板１０２と、回転板１０２の外側を囲むように配置され、外周面に沿って複数個のフィンが半径方向の外側に突出形成される円型帯部材１０８と、回転板１０２の外周面から円型帯部材１０８の内周面まで放射状に延長して形成される複数個の連結ロード１０６を含んでなる。
【００５２】
この際も同様に、回転板１０２の回転時に貫通部１０７を通過する吸込流速を増大させるため、連結ロード１０６の一側に所定角度に傾斜した補助羽根１０１が形成される。
【００５３】
また、本発明のまた他の実施形態によれば、連結ロード１０６の端部が円型帯部材１０８を貫通して外側に突出し、連結ロード１０６の端部の一側にフィン１０４が垂直に形成され得る。他の例として、フィン１０４は円型帯部材１０８の外周面に回転板１０２と平行するように突出する水平部材と、水平部材の一側に垂直に形成される垂直部材を含んでなることも可能である。
【００５４】
前記スワラーファン１００がモータ３００によって回転すると、渦流を形成する。このような渦流は図１０、図１１に示すようにドーナッツ型の低気圧帯を形成する。図１０、図１１は一種の断面図であり、スワラーファン１００の駆動によってスワラーファン１００の外側に向かって流れた気流が戻ってきながら低気圧の谷を形成する。スワラーファン１００の外側の周辺部に一種のドーナッツ型（立体的に見るとき）の低気圧帯が形成される。このような低気圧帯によりドーナッツ型渦流の中心部も低気圧が形成されて上昇気流が生じる。しかし、このようなスワラーファン１００による中心部の低気圧だけでは所望する水準の気体吸込及び排出効果が得られない。したがって、本発明のようにスワラーファン１００の後段に吸込ファン２００を追加して駆動させることによって強力な上昇気流を作るのである。吸込ファン２００がスワラーファン１００と共に回転駆動されることによってドーナッツ型の低気圧帯は円運動をし、これによる旋風気流は広範囲に気体を捕執できるようにする。旋風気流の中心部は非常に低い低気圧帯で吸込ファン２００によって上昇推進力の供給を受けて気流は高速上昇する。このようなメカニズムにより発明の排気ファンは強力かつ迅速に汚染物質及び臭いを排出できる効果がある。
【００５５】
スワラーファン１００と吸込ファン２００は同軸に組み立てされて軸上に一つのモータ３００が連結され、同時に駆動される。
【００５６】
特に、本発明者は、スワラーファン１００のだけでは渦流がドーナッツ型の低気圧帯をより広い面積に形成しにくいという点を発見し、上段部に開口部が形成され、傾斜面を有し、下段部に水平段が形成されたベルマウス（ｂｅｌｌ−ｍｏｕｔｈ）５００を設置した。ベルマウス５００は、図３、図４に示すように、上段部に開口部５２０を形成し、上段部の周囲に沿って外側下向に傾斜した傾斜面を形成し、傾斜面の終端すなわち、下部には水平に広がる水平段５１０を備える。このような水平段５１０は図１０のシミュレーションから分かるように、表面に近接して噴出した気流がその面に引き寄せられて流れるコアンダ効果（Ｃｏａｎｄａ  Ｅｆｆｅｃｔ）を発生させ、スワラーファン１００の駆動によって発生される気流は水平段５１０に沿って渦流を形成して渦流帯のサイズを大きくし、結果的に捕執領域を拡張する。
【００５７】
すなわち、ベルマウス（ｂｅｌｌ−ｍｏｕｔｈ）５００の傾斜面と水平段５１０に沿って気流が流れながら気流の移動距離を拡大して気流が継続的な推進力を得ず、戻ってドーナッツ型の低気圧帯を形成する。このようなベルマウス（ｂｅｌｌ−ｍｏｕｔｈ）５００は、傾斜面と水平段５１０を備えるだけで良いため、必ず円錐台形状である必要はなく、四角錐台をはじめ角錐台、楕円錐台形状で構成し、その下段部は水平段５１０を備えると同じ機能を有する。四角錐台型の場合、左右方向の端にのみ水平段５１０を構成して簡素化することができる。
【００５８】
ベルマウス（ｂｅｌｌ−ｍｏｕｔｈ）５００の中心部も開口部５２０を備え、これを設置することによって中心部での上昇気流の速度向上と捕執範囲を拡大する結果をもたらす。
【００５９】
スワラーファン１００とベルマウス（ｂｅｌｌ−ｍｏｕｔｈ）５００の構成によりドーナッツ型の低気圧帯が形成されると、これを回転させて旋風気流を形成し、その中心部で強力な上昇気流を形成する駆動力を与える必要があるが、吸込ファン２００がこのような役割を果たす。吸込ファン２００は既に広く知られている遠心型ファン（シロッコファン、ターボファン）、または軸流型ファンなどを適用することができ、吸込ファンケース４００も従来に知らされているものを使用する。例えば、吸込ファンは中心の開口部２２０を有する円筒に多数の羽根２１０を有する。
【００６０】
図３に示すように、吸込ファンケース４００の下段部は吸込ファン２００が内蔵するように開口されており、上段部にもモータ３００を組み立てるための開口部４２０を備え、排出口６００が組み立てられる部分も開口部を備える。また、中心に開口部７２０を有する平面形組立部材７００を吸込ファンケース４００の下段部に配置して吸込ファンケース４００の底面を成し、吸込ファン２００が位置した部分が開口部７２０により露出し、その他部分は密閉して気流が乱れずに上昇するようにする。
【００６１】
図３の排気装置モジュールの分解斜視図の構成品を組み立てた斜視図を図７に示す。
【００６２】
この際、吸込ファンケース４００の後段（図面の上段）の開口部４２０を介してモータ３００が結合され、吸込ファンケース４００の内部に吸込ファン２００が収容される。吸込ファンケース４００の前段（図面の下段）には組立部材７００とベルマウス５００が順次に結合され、モータ３００のモータ軸３３０は吸込ファンケース４００の開口部４２０と吸込ファン２００、組立部材の開口部７２０とベルマウス５００の開口部５２０を順次に貫通してスワラーファン１００の中心部１００ａに結合される。一方、この際、排出口６００は吸込ファンケース４００の一側すなわち、吸込ファン２００の半径方向の外側に向かって形成される。
【００６３】
また、図８に示すように、中心部に開口部を備えたスワラーファン１００の後段（図面の上段）に設置される吸込ファンを軸流型プロペラファン２５０で構成する場合、排気ファンケースの排出口６００は吸込ファンが配置された地点と同一軸に位置するように組み立てられる。排出口６００の組み立ては図８の吸込ファンケース４５０（ハウジングとも言う）の後段（図面上上段）で行われる。軸流型プロペラファン２５０の中心部にも気流が疎通できる開口部が羽根の骨格の間に形成される。排気ファンを図８のように構成する場合、構成品がさらに簡素化される長所がある。この際、モータ３００と軸流型プロペラファン２５０は吸込ファンケース４５０内部に収容され、ベルマウス５００とスワラーファン１００は吸込ファンケース４５０の前段（図面の下段）に配置される。
【００６４】
図９は、本発明のまた他の排気装置モジュールの構成を示す分解斜視図である。本発明の排気装置モジュールを移動式集塵装置などに適用する場合、集塵した微細ホコリなどを処理するために後段にフィルタを設置する必要がある。この際、フィルタによる圧力損失によって吸込ファン２００の吸込力が低下し得る。このような問題点を解消するためには後段の吸込ファン２００をより強力に駆動しなければならない。このため、前段（図面の下段）のスワラーファン１００を駆動するためのモータ３００及びモータハウジング３１０とは別途に後段（図面の上段）の吸込ファン２００を駆動するためのモータ９００及び吸込ファンケース４００を備え、排気装置モジュールを構成できる。
【００６５】
図１０は、本発明による排気装置モジュールを駆動したとき、気流変化をシミュレーションした場合を示す図である。スワラーファン１００によってベルマウス（ｂｅｌｌ−ｍｏｕｔｈ）５００の壁面を沿って外側に流れた気流は水平段５１０に沿って誘導されて流れてから戻ってきながら、ドーナッツ型渦流の低気圧帯を形成する。吸込ファン２００によってドーナッツ型渦流の低気圧帯は旋風を起こし、ドーナッツ型渦流の中心部の極低気圧帯の上昇気流は吸込ファン２００駆動によって強い推進力で速く上昇する。また、ベルマウス（ｂｅｌｌ−ｍｏｕｔｈ）５００構成により捕執範囲が拡大されることが分かる。
【００６６】
このようにして高効率の排気ファンを実現することができる。
【００６７】
本発明の権利は、上記説明した実施形態に限定されず、請求範囲に記載された内容によって定義され、本発明の分野で通常の知識を有する者が請求範囲に記載されている権利範囲内で多様に変形と改作ができることは自明である。
【符号の説明】
【００６８】
１００    スワラーファン
１００ａ    中心部
１０１    補助羽根
１０２    回転板
１０４    フィン
１０６    連結ロード
１０７    貫通部
１０８    円型帯部材
２１０    羽根
２２０、４２０、５２０、７２０    開口部
２００    吸込ファン
２５０    軸流型プロペラファン
３００、９００    モータ
３１０    モータハウジング
３３０    モータ軸
４００、４５０    吸込ファンケース
５００    ベルマウス（ｂｅｌｌ−ｍｏｕｔｈ）  
５１０    水平段
６００    排出口
７００    組立部材
７１０    フードボディー
８００    ガード
【図１】
2016109112.tif 000005
【図２】
2016109112.tif 000006
【図３】
2016109112.tif 000007
【図４】
2016109112.tif 000008
【図５】
2016109112.tif 000009
【図６】
2016109112.tif 000010
【図７】
2016109112.tif 000011
【図８】
2016109112.tif 000012
【図９】
2016109112.tif 000013
【図１０】
2016109112.tif 000014
【図１１】
2016109112.tif 000015